(57)【要約】【課題】商品を簡単に取り出すことができ、段ボール箱への再格納作業が不要になる梱包部材を提供する。【解決手段】商品を梱包した状態で段ボール箱７に格納される梱包部材５であって、梱包部材５に、段ボール箱７の上蓋７ａ〜７ｄを開いた状態で商品を出し入れ可能な上開口が形成され、この上開口は、上面蓋部５ｄで常時は閉じられていて、この上面蓋部５ｄに取手部５ｕが形成され、この取手部５ｕを上方に引き上げることで、上面蓋部５ｄによって梱包部材５の上開口が開かれるようになる。【選択図】図５
2009096489.tif 000002
【特許請求の範囲】
【請求項１】
商品を梱包した状態で段ボール箱に格納される梱包部材であって、
前記梱包部材に、段ボール箱の上蓋を開いた状態で商品を出し入れ可能な上開口が形成され、この上開口は、上面蓋部で常時は閉じられていて、この上面蓋部に取手部が形成され、この取手部を上方に引き上げることで、上面蓋部によって梱包部材の上開口が開かれるようになることを特徴とする梱包部材。
【請求項２】
前記取手部は、段ボール箱の上蓋を閉じた時に、折り曲げ力に抗して上蓋で押さえ込まれるとともに、上蓋を開いた時に、折り曲げ力の跳ね上がりで起き上がるようになっていることを特徴とする梱包部材。
【発明の詳細な説明】
【技術分野】
【０００１】
本発明は、商品を梱包した状態で段ボール箱に格納される梱包部材に関する。
【背景技術】
【０００２】
従来、商品を梱包した状態で段ボール箱に格納される梱包部材がある（特許文献１参照）。
【０００３】
そして、梱包部材に商品を梱包した状態で、取手部を持って段ボール箱に格納するとともに、段ボール箱の上蓋を開いて、商品を梱包した梱包部材を、取手部を持って段ボール箱から取り出すようになっている。
【特許文献１】特開２００２−３２１７７２号公報
【発明の開示】
【発明が解決しようとする課題】
【０００４】
しかしながら、梱包部材は、運搬時等に段ボール箱内でがたつかないように、遊び隙間が無い状態で格納されているから、段ボール箱から取り出す際には、相当な力が必要であり、場合によっては、梱包部材を取り出す者の他に、段ボール箱を押さえる者が必要になるという問題があった。
【０００５】
また、段ボール箱から梱包部材を取り出し、ついで梱包部材を開梱して商品を取り出す作業が必要であるから、商品の取り出し作業が煩わしい上に、商品を取り出した後の梱包部材を段ボール箱に格納しなければ嵩張るので、梱包部材の再格納作業が煩わしいという問題があった。
【０００６】
本発明は、前記問題を解消するためになされたもので、商品を簡単に取り出すことができ、段ボール箱への再格納作業が不要になる梱包部材を提供することを目的とするものである。
【課題を解決するための手段】
【０００７】
前記課題を解決するために、本発明は、商品を梱包した状態で段ボール箱に格納される梱包部材であって、前記梱包部材に、段ボール箱の上蓋を開いた状態で商品を出し入れ可能な上開口が形成され、この上開口は、上面蓋部で常時は閉じられていて、この上面蓋部に取手部が形成され、この取手部を上方に引き上げることで、上面蓋部によって梱包部材の上開口が開かれるようになることを特徴とする梱包部材を提供するものである。
【０００８】
請求項２のように、前記取手部は、段ボール箱の上蓋を閉じた時に、折り曲げ力に抗して上蓋で押さえ込まれるとともに、上蓋を開いた時に、折り曲げ力の跳ね上がりで起き上がるようになっていることが好ましい。
【発明の効果】
【０００９】
本発明によれば、開梱時に、段ボール箱の上蓋を開いた状態で、梱包部材の上面蓋部の取手部を上方に引き上げると、上面蓋部によって梱包部材の上開口が開かれるようになるから、段ボール箱に梱包部材を格納したままで、梱包部材から商品のみを取り出せるようになる。
【００１０】
したがって、従来のように、段ボール箱から梱包部材を取り出す必要が無く、段ボール箱に格納されたままの梱包部材から商品のみを取り出せば良いので、商品の取り出しが簡単に行えるとともに、段ボール箱に梱包部材を再格納する必要も無くなる。
【００１１】
請求項２によれば、段ボール箱の上蓋を開いた時に、取手部が折り曲げ力の跳ね上がりで起き上がるようになるから、その起き上がった取手部を引き上げるだけで良く、開梱の容易化を図ることができる。
【発明を実施するための最良の形態】
【００１２】
以下、本発明を実施するための最良の形態について、図面を参照しながら詳細に説明する。
【００１３】
図１は、梱包部材５に緩衝部材６を組み付け、梱包部材５に商品（不図示）を梱包した状態で、横長四角形状の段ボール箱７に格納された状態の斜視図であり、段ボール箱７の四辺の上蓋７ａ〜７ｄは通常は閉じられていて、梱包部材５の商品を取り出す時に、図示のように開かれるものである。
【００１４】
図２は、梱包部材５に緩衝部材６を組み付けた組付け体を段ボール箱７から取り出した状態の正面側斜視図、図３は、同側面側斜視図、図４は、梱包部材５だけの正面側斜視図である。
【００１５】
先ず、梱包部材５について説明する。梱包部材５は、例えば画像形成装置の定着ユニット等の商品を梱包するもので、ほぼ横長四角筒形状になっていて、底面５ａと両側面５ｂ，５ｃ（５ｂが前側面、５ｃが後側面）と上面蓋部５ｄとで構成されている。
【００１６】
梱包部材５は、図６に展開図、図７に組み立て途中の斜視図を示すように、１枚の段ボールから切り取って組み立てられる。図６の展開図において、長さ方向Ｌに沿って段ボールの縦目を位置させている。
【００１７】
底面５ａの幅方向の両側部で、２本の谷折り線ｄ，ｅによって前側面５ｂと後側面５ｃとを直角に折り曲げる。その際に、底面５ａの長さ方向の両端部分に、２箇所の谷折り線ｆと１箇所の山折り線ｇとで逆Ｖ字部５ｅをそれぞれ形成するとともに、一方の端部分に、２本の谷折り線ｈと１本の山折り線ｉとで逆Ｌ字部５ｆを形成する。
【００１８】
また、長さ方向の両端部分において、前側面５ｂおよび後側面５ｃから底面５ａに僅かに跨るように幅方向にそれぞれ形成された打ち抜き穴ｊ，ｋによって、両側面５ｂ，５ｃに外側のスリット５ｇと内側のスリット５ｈとが形成されるようになる。
【００１９】
さらに、後側面５ｃの長さ方向のほぼ中間における上端部に１本の谷折り線ｍによって上面（蓋部）５ｄを直角に折り曲げる。これにより、梱包部材５の側面視において、底面５ａと前側面５ｂと後側面５ｃとで略Ｕ字状に形成された本体部分の上部に上面蓋部５ｄが位置して、ほぼ横長四角筒形状が構成されるようになる。
【００２０】
上面蓋部５ｄには、この上面蓋部５ｄを谷折り線ｍによって直角に折り曲げたときに、後側面５ｃの上端から立ち上がる突片５ｉが切り込み穴ｎによって形成されているとともに、上方に切り起こす一対の係止片５ｊが形成されている。
【００２１】
上面蓋部５ｄの先端部分には、取手ブロック５ｋが一体に形成されている。取手ブロック５ｋは、４本の谷折り線ｐによって第１片５ｐ、第２片５ｑ、第３片５ｒ、第４片５ｓを順次外向きに折り曲げることで、横長四角筒形状に形成されるようになる。
【００２２】
第１片５ｐには、この第１片５ｐを谷折り線ｐによって直角に折り曲げたときに、第１片５ｐの下端から立ち下がる突片５ｔが上面蓋部５ｄの切り込み穴ｌによって形成されているとともに、第２片５ｑを谷折り線ｐによって直角に折り曲げたときに、第１片５ｐの上端から立ち上げ可能な取手部５ｕが第２片５ｑの切り込み穴ｑによって形成されている。
【００２３】
また、第３片５ｒには、上面蓋部５ｄの一対の係止片５ｊを無理嵌めしてそれぞれ係止可能な一対の係止穴５ｖが形成されているとともに、第４片５ｓには、第１片５ｐの内面との間に、前側面５ｂの上端から立ち上がる突片５ｗを下方から差し込み可能な差し込み窪み５ｘが形成されている。
【００２４】
そして、上面蓋部５ｄの先端部分の取手ブロック５ｋは、４本の谷折り線ｐによって第１片５ｐ〜第４片５ｓを順次外向きに折り曲げることで、横長四角筒形状に形成し、その状態で、図４および図８のように、上面蓋部５ｄの係止片５ｊを第３片５ｒの係止穴５ｖに押し込んで無理嵌めすることで、上面蓋部５ｄの先端部分に取手ブロック５ｋが形状保持された状態で係止されるようになる。
【００２５】
その後、谷折り線ｍによって上面（蓋部）５ｄを下向きに折り曲げながら、前側面５ｂの突片５ｗの外面に第１片５ｐの突片５ｔの内面を沿わせると、前側面５ｂの突片５ｗが第４片５ｓの差し込み窪み５ｘに下方から差し込まれることで、上面蓋部５ｄの先端が前側面５ｂの上端に係止されて、梱包部材５の上開口が閉じられるようになる（図４の状態）。
【００２６】
取手部５ｕは、常時は、第２片５ｑの切り込み穴ｑ内に位置して（第２片５ｑにフラットな状態）、使用時には、谷折り線ｐから上向きに起き上がることで、第１片５ｐの上端から立ち上がるようになり、この取手部５ｕを指で摘んで上方に引き上げることで、谷折り線ｍによって上面蓋部５ｄが上向きに折り返されて、梱包部材５の上開口が開かれるようになる（図５の状態）。この梱包部材５の上開口から商品を出し入れすることができる。
【００２７】
すなわち、取手部５ｕは、段ボール箱７の上蓋７ａ〜７ｄを閉じた時に、折り曲げ力に抗して上蓋７ａ〜７ｄで押さえ込まれるとともに、上蓋７ａ〜７ｄを開いた時に、折り曲げ力の跳ね上がりで起き上がるようになっている。
【００２８】
次に、緩衝部材６について説明する。緩衝部材６は、梱包部材５の長さ方向の両端部分を保持するもので、長さ方向に一対の立上がり部６ａ，６ｂと、その下端を連結する底部６ｃとで略Ｕ字形状に形成されている。
【００２９】
緩衝部材６は、図９に展開図、図１０、図１１に組み立て途中の斜視図を示すように、１枚の段ボールから切り取って組み立てられる。図９の展開図において、長さ方向（立上がり部６ａ，６ｂの立上がり方向）Ｌに沿って段ボールの縦目を位置させている。
【００３０】
底面６ｃの長さ方向の両側部で、２本の谷折り線ｒ，ｓによって外側の立上がり部６ａと内側の立上がり部６ｂとを直角に折り曲げる。この外側の立上がり部６ａは、２本の山折り線ｔ，ｔによって内向きに２枚重ねに折り重ねられている。また、外側の立上がり部６ａには、打ち抜き穴ｕによって、上端部から下方に向かう外側の一対のスリット６ｄが形成されている。
【００３１】
内側の立上がり部６ｂの幅方向の中央位置には、２本の切り抜き線ｗ，ｗで切り抜かれ、２本の谷折り線ｖ，ｖによって、外側の立上がり部６ａの方向に下向きコ字状に折り曲げられる覆い（蓋）部６ｅが形成されている。
【００３２】
この覆い部６ｅが切り抜かれることで、内側の立上がり部６ｂには、切欠き６ｆの両側に一対の段部（係止部）６ｇが形成されるようになる。
【００３３】
底部６ｃの幅方向の両端部には、２本の谷折り線ｘによって、梱包部材５の底面５ａに上端が接近するように立ち上がる折り曲げ部６ｈがそれぞれ形成され、各折り曲げ部６ｈは、２本の谷折り線ｒ，ｓと連なる山折り線ｙとの関係で４５度の三角形状となる谷折り線ｚによって、各立上がり部６ａ，６ｂに向かって折り込まれる折り込み部６ｉで各立上がり部６ａ，６ｂにそれぞれ連結されている。各折り曲げ部６ｈと各折り込み部６ｆには、各立上がり部６ａ，６ｂの立上がり方向と直交する方向に段ボールの横目が位置されるようになる。
【００３４】
外側の立上がり部６ａ側の折り込み部６ｉと折り曲げ部６ｈとのコーナー部には、覆い（蓋）部６ｅのフック部６ｊを差し込み可能な差し込み溝６ｋが形成されている。
【００３５】
そして、図１０（ａ）（ｂ）のように、底面６ｃの長さ方向の両側部で、２本の谷折り線ｒ，ｓによって外側の立上がり部６ａと内側の立上がり部６ｂとを直角に折り曲げながら、２本の谷折り線ｘによって折り曲げ部６ｈを立ち上げつつ、山折り線ｙと谷折り線ｚによって、各立上がり部６ａ，６ｂに向かって折り込み部６ｉを三角形状に折り込むと、図１１（ａ）のように、各立上がり部６ａ，６ｂの間に、上面が開口したボックスが形成されるようになる。
【００３６】
その後、図１１（ｂ）のように、内側の立上がり部６ｂの覆い（蓋）部６ｅを２本の谷折り線ｖ，ｖによって折り曲げて、フック部６ｊを折り込み部６ｉと折り曲げ部６ｈとのコーナー部の差し込み溝６ｋに差し込むと、フック部６ｊが差し込み溝６ｋに係止されて、各立上がり部６ａ，６ｂの間のボックスの上面が閉じられるようになり、各立上がり部６ａ，６ｂの間に閉断面のボックスが形成されるようになる。
【００３７】
前記のようにして組み立てた梱包部材５に緩衝部材６を組み付けるには、前述した背景技術と同様に、緩衝部材６の外側の立上がり部６ａに形成したスリット（係止部）６ｄに、梱包部材５の両側面５ｂ，５ｃに形成した外側のスリット５ｇを上方から十字状に嵌め込んで係止保持するとともに、緩衝部材６の内側の立上がり部６ｂに形成した切欠き６ｆの段部（係止部）６ｇに、梱包部材５の両側面５ｂ，５ｃに形成した内側のスリット５ｈを上方から十字状に嵌め込んで係止保持する（図２、図３の状態）。
【００３８】
そして、梱包部材５に緩衝部材６を組み付け、梱包部材５に商品を梱包した状態で段ボール箱７に格納されるようになる。
【００３９】
前記実施形態においては、開梱時に、段ボール箱７の上蓋７ａ〜７ｄを開いた状態で、梱包部材５の上面蓋部５ｄの取手部５ｕを上方に引き上げると、上面蓋部５ｄによって梱包部材５の上開口が開かれるようになるから、段ボール箱７に梱包部材５を格納したままで、梱包部材５から商品のみを取り出せるようになる。
【００４０】
したがって、従来のように、段ボール箱７から梱包部材５を取り出す必要が無く、段ボール箱７に格納されたままの梱包部材５から商品のみを取り出せば良いので、商品の取り出しが簡単に行えるとともに、段ボール箱７に梱包部材５を再格納する必要も無くなる。
【００４１】
また、段ボール箱７の上蓋７ａ〜７ｄを開いた時に、取手部５ｕが折り曲げ力で起き上がるようになるから、その起き上がった取手部５ｕを引き上げるだけで良く、開梱の容易化を図ることができる。
【００４２】
前記実施形態では、梱包部材５に緩衝部材６を取付けたものであったが、緩衝部材６は特に必要が無く、段ボール箱７に梱包部材５をそのまま格納するタイプにも本発明が適用できるものである。また、緩衝部材６を用いるタイプであっても、緩衝部材６は前記実施形態のものに限定されるものではない。
【図面の簡単な説明】
【００４３】
【図１】本発明の実施形態に係る緩衝部材を梱包部材に組み付けて、段ボール箱に格納した状態の斜視図である。
【図２】緩衝部材を梱包部材に組み付けた組付け体を段ボール箱から取り出した状態の正面側斜視図である。
【図３】図２の側面側斜視図である。
【図４】梱包部材だけの正面側斜視図である。
【図５】段ボール箱に格納した梱包部材の取手部上方に引き上げて、上面（蓋部）を上向きに折り返すことで、梱包部材の上開口を開いた状態の斜視図である。状態の斜視図である。
【図６】梱包部材の展開図である。
【図７】梱包部材の組み立て途中の斜視図である。
【図８】梱包部材の要部斜視図である。
【図９】緩衝部材の展開図である。
【図１０】（ａ）（ｂ）は、緩衝部材の組み立て途中の斜視図である。
【図１１】（ａ）（ｂ）は、緩衝部材の組み立て途中の斜視図である。
【符号の説明】
【００４４】
５    梱包部材
５ｄ  上面蓋部
５ｕ  取手部
６    緩衝部材
７    段ボール箱
７ａ〜７ｄ  上蓋
【図１】
2009096489.tif 000003
【図２】
2009096489.tif 000004
【図３】
2009096489.tif 000005
【図４】
2009096489.tif 000006
【図５】
2009096489.tif 000007
【図６】
2009096489.tif 000008
【図７】
2009096489.tif 000009
【図８】
2009096489.tif 000010
【図９】
2009096489.tif 000011
【図１０】
2009096489.tif 000012
【図１１】
2009096489.tif 000013